(57)【要約】  液体スプレーガンノズルアセンブリであって、この液体スプレーガンノズルアセンブリを、互換性のある液体スプレーガン本体に接続するようになっている、コーティング液出口部分の反対側のスプレーガン接続部分を備え、スプレーガン接続部分が、半径方向外側に面する表面を含む外壁と、半径方向外側に面する表面上に配置された第１及び第２のカム部材であって、各カム部材は、第１の端部、第２の端部、及びコーティング液出口部分に面するカム面を含む、第１及び第２のカム部材と、第１のカム部材の第１の端部を第２のカム部材の第２の端部から分離する第１のアクセス窓と、第２のカム部材の第１の端部を第１のカム部材の第２の端部から分離する第２のアクセス窓と、を含む、液体スプレーガンノズルアセンブリが開示される。
2019535510.tif 000002
【特許請求の範囲】
【請求項１】
液体スプレーガンノズルアセンブリであって、
外部液体源に接続するための液体コネクタを含むコーティング液入口部分と、
前記コーティング液入口部分を通して前記ノズルアセンブリ内に供給されたコーティング液を噴霧するための、噴霧軸に沿って配置された液体ノズルを含むコーティング液出口部分と、
前記コーティング液入口部分を前記液体ノズルに流体的に接続するコーティング液流路と、
前記液体スプレーガンノズルアセンブリを、互換性のある液体スプレーガン本体に接続するようになっている、前記コーティング液出口部分の反対側のスプレーガン接続部分と、
を備え、前記スプレーガン接続部分が、
半径方向外側に面する表面を含む外壁と、
前記半径方向外側に面する表面上に配置され、第１の端部、第２の端部、及び前記コーティング液出口部分に面するカム面を含む、第１のカム部材と、
前記第１のカム部材の前記第１の端部に近接した第１のアクセス窓と、
を含む、液体スプレーガンノズルアセンブリ。
【請求項２】
前記スプレーガン接続部分が、
第１の端部、第２の端部、及び前記コーティング液出口部分に面するカム面を含む第２のカム部材であって、前記第１のアクセス窓が、前記第１のカム部材の前記第１の端部を前記第２のカム部材の前記第２の端部から分離する、第２のカム部材と、
前記第２のカム部材の前記第１の端部を前記第１のカム部材の前記第２の端部から分離する第２のアクセス窓と、
を更に含む、請求項１に記載の液体スプレーガンノズルアセンブリ。
【請求項３】
前記第２の半径方向外側に面するカム面が、前記噴霧軸に垂直に画定されたベース平面に対して傾斜した部分を含む、請求項２に記載の液体スプレーガンノズルアセンブリ。
【請求項４】
前記液体コネクタがクイックコネクトカプラを含む、請求項１〜３のいずれか一項に記載の液体スプレーガンノズルアセンブリ。
【請求項５】
前記第１の半径方向外側に面するカム面が、前記噴霧軸に垂直に画定されたベース平面に対して傾斜した部分を含む、請求項１〜４のいずれか一項に記載の液体スプレーガンノズルアセンブリ。
【請求項６】
前記スプレーガン接続部分が、前記液体スプレーガンノズルアセンブリを、前記互換性のある液体スプレーガン本体に封着するようになっているノズルアセンブリシール面を含む、請求項１〜５のいずれか一項に記載の液体スプレーガンノズルアセンブリ。
【請求項７】
前記第１のカム面が、前記互換性のある液体スプレーガン本体の相補的なカムラグと相互作用し、前記液体スプレーガンノズルアセンブリを前記噴霧軸に沿って引き、前記ノズルアセンブリシール面を、前記互換性のある液体スプレーガン本体とシール関係で配置するようになっている、請求項６に記載の液体スプレーガンノズルアセンブリ。
【請求項８】
第２のカム面を備え、前記第１及び第２のカム面が、前記互換性のある液体スプレーガン本体の相補的なカムラグと相互作用し、前記液体スプレーガンノズルアセンブリを前記噴霧軸に沿って引き、前記ノズルアセンブリシール面を、前記互換性のある液体スプレーガン本体とシール関係で配置するようになっている、請求項７に記載の液体スプレーノズル。
【請求項９】
前記ノズルアセンブリシール面が、円形である第１のシール部材を含む、請求項６〜８のいずれか一項に記載の液体スプレーガンノズルアセンブリ。
【請求項１０】
前記ノズルアセンブリシール面が、それぞれ円形で互いに同心である第１及び第２のシール部材を含む、請求項６〜８のいずれか一項に記載の液体スプレーガンノズルアセンブリ。
【請求項１１】
前記第１及び第２のシール部材が前記噴霧軸を中心にして同心である、請求項１０に記載の液体スプレーガンノズルアセンブリ。
【請求項１２】
前記互換性のある液体スプレーガン本体に接続されると、成形空気ゾーンが前記第１及び第２のシール部材の間で隔離される、請求項１０又は１１に記載の液体スプレーガンノズルアセンブリ。
【請求項１３】
前記互換性のある液体スプレーガン本体に接続されると、中央空気ゾーンが前記第２のシール部材内で隔離される、請求項１０〜１２のいずれか一項に記載の液体スプレーガンノズルアセンブリ。
【請求項１４】
前記ノズルアセンブリシール面が、第３のシール部材を含み、前記第３のシール部材が、円形であり、前記第１及び第２のシール部材と同心である、請求項１０〜１３のいずれか一項に記載の液体スプレーガンノズルアセンブリ。
【請求項１５】
前記互換性のある液体スプレーガン本体に接続されると、成形空気ゾーンが前記第２及び第３のシール部材の間で隔離される、請求項１４に記載の液体スプレーガンノズルアセンブリ。
【請求項１６】
前記互換性のある液体スプレーガン本体に接続されると、液体ニードルが前記第３のシール部材内で隔離される、請求項１４又は１５に記載の液体スプレーガンノズルアセンブリ。
【請求項１７】
前記第１のカム面が、前記互換性のある液体スプレーガン本体の相補的なカムラグと相互作用し、前記液体スプレーガンノズルアセンブリを、前記液体スプレーガンノズルアセンブリの回転を伴うことなく、前記噴霧軸に沿って、前記互換性のある液体スプレーガン本体に引き寄せるようになっている、請求項１〜１６のいずれか一項に記載の液体スプレーガンノズルアセンブリ。
【請求項１８】
第２のカム面を備え、前記第１及び第２のカム面が、前記互換性のある液体スプレーガン本体の相補的なカムラグと相互作用し、前記液体スプレーガンノズルアセンブリを、前記液体スプレーガンノズルアセンブリの回転を伴うことなく、前記噴霧軸に沿って、前記互換性のある液体スプレーガン本体に引き寄せるようになっている、請求項１７に記載の液体スプレーノズル。
【請求項１９】
前記第１のアクセス窓は、前記互換性のある液体スプレーガン本体の相補的なカムラグが、前記第１の半径方向外側に面するカム部材のカム面に到達するためのアクセスを可能にする、請求項１〜１８のいずれか一項に記載の液体スプレーガンノズルアセンブリ。
【請求項２０】
第２のアクセス窓を備え、前記第１及び第２のアクセス窓は、前記互換性のある液体スプレーガン本体の相補的なカムラグが、前記第１及び第２の半径方向外側に面するカム部材のカム面に到達するためのアクセスを可能にする、請求項１９に記載の液体スプレーガンノズルアセンブリ。
【請求項２１】
液体スプレーガン本体と、
請求項１〜２０のいずれか一項に記載の液体スプレーガンノズルアセンブリと、
を備える、液体スプレーガンアセンブリ。
【請求項２２】
前記液体スプレーガン本体が、前記液体スプレーガンノズルアセンブリの接続のための捕捉された回転可能な係止リングを含む、請求項２１に記載の液体スプレーガンアセンブリ。
【請求項２３】
前記捕捉された回転可能な係止リングは、前記液体スプレーガンノズルアセンブリ上の前記第１及び第２のカム面と相互作用するようになっている第１及び第２のカムラグを含む、請求項２２に記載の液体スプレーガンアセンブリ。
【請求項２４】
前記捕捉された回転可能な係止リングが、前記噴霧軸を中心にして組み立て位置及び係止位置に回転可能であり、
前記組み立て位置では、前記液体スプレーガンノズルアセンブリの組み付け又は取り外しを可能にするために、前記第１及び第２のカムラグが前記第１及び第２のアクセス窓と丁重に（respectfully）位置合わせされ、
前記係止位置では、前記液体スプレーガンノズルアセンブリを前記液体スプレーガン本体に対して係止させるために、前記第１及び第２のカムラグが前記第１及び第２のカム面に丁重に（respectfully）当接する、
請求項２３に記載の液体スプレーガンアセンブリ。
【請求項２５】
前記組み立て位置から前記係止位置への前記捕捉された回転可能な係止リングの回転が、前記噴霧軸を中心にして１８０度未満である、請求項２４に記載の液体スプレーガンアセンブリ。
【請求項２６】
前記組み立て位置から前記係止位置への前記捕捉された回転可能な係止リングの回転が、前記噴霧軸を中心にして１４０度未満である、請求項２５に記載の液体スプレーガンアセンブリ。
【請求項２７】
前記捕捉された回転可能な係止リングが、前記捕捉された回転可能な係止リングを前記噴霧軸に沿って押すことによって前記液体スプレーガン本体に組み付け可能であり、前記噴霧軸に沿って引くことによって前記液体スプレーガン本体から取り外し可能である、請求項２２〜２６のいずれか一項に記載の液体スプレーガンアセンブリ。
【請求項２８】
前記捕捉された回転可能な係止リングが、前記噴霧軸を中心にして組み立て位置及び係止位置に回転可能であり、前記捕捉された回転可能な係止リングが、前記組み立て位置に回転された時には、前記液体スプレーガン本体に組み付け可能でかつ、前記液体スプレーガン本体から取り外し可能であるが、前記係止位置に回転された時には、取り外し可能でない、請求項２７に記載の液体スプレーガンアセンブリ。
【請求項２９】
前記捕捉された回転可能な係止リングが、スナップ機構を介して前記液体スプレーガン本体に組み付け可能でかつ、前記液体スプレーガン本体から取り外し可能である、請求項２７又は２８に記載の液体スプレーガンアセンブリ。
【請求項３０】
前記捕捉された回転可能な係止リングが、道具を使用することなく、前記液体スプレーガン本体に組み付け可能でかつ、前記液体スプレーガン本体から取り外し可能である、請求項２７〜２９のいずれか一項に記載の液体スプレーガンアセンブリ。
【請求項３１】
互換性のある液体スプレーガンノズルアセンブリの接続を可能にするようになっている、捕捉された回転可能な係止リングを備え、コーティング液の通路を含まない、液体スプレーガン本体。
【請求項３２】
前記捕捉された回転可能な係止リングが、前記互換性のある液体スプレーガンノズルアセンブリの第１のカム面と相互作用するようになっている第１のカムラグを含む、請求項３１に記載の液体スプレーガン本体。
【請求項３３】
前記捕捉された回転可能な係止リングが、前記互換性のある液体スプレーガンノズルアセンブリ上の第２のカム面と相互作用するようになっている第２のカムラグを含む、請求項３２に記載の液体スプレーガン本体。
【請求項３４】
前記捕捉された回転可能な係止リングが組み立て位置及び係止位置に回転可能であり、
前記組み立て位置では、前記互換性のある液体スプレーガンノズルアセンブリが組み付け可能及び取り外し可能であり、
前記係止位置では、前記互換性のある液体スプレーガンノズルアセンブリが前記液体スプレーガン本体に対して係止可能である、
請求項３１〜３３のいずれか一項に記載の液体スプレーガン本体。
【請求項３５】
前記組み立て位置から前記係止位置への前記捕捉された回転可能な係止リングの回転が、前記噴霧軸を中心にして１８０度未満である、請求項３４に記載の液体スプレーガン本体。
【請求項３６】
前記組み立て位置から前記係止位置への前記捕捉された回転可能な係止リングの回転が、前記噴霧軸を中心にして１４０度未満である、請求項３５に記載の液体スプレーガン本体。
【請求項３７】
前記捕捉された回転可能な係止リングが、前記捕捉された回転可能な係止リングを前記液体スプレーガン本体へと押すことによって前記液体スプレーガン本体に組み付け可能であり、前記液体スプレーガン本体から引くことによって前記液体スプレーガン本体から取り外し可能である、請求項３１〜３６のいずれか一項に記載の液体スプレーガン本体。
【請求項３８】
前記捕捉された回転可能な係止リングが、前記噴霧軸を中心にして組み立て位置及び係止位置に回転可能であり、前記捕捉された回転可能な係止リングが、前記組み立て位置に回転された時には、前記液体スプレーガン本体に組み付け可能でかつ、前記液体スプレーガン本体から取り外し可能であるが、前記係止位置に回転された時には、取り外し可能でない、請求項３７に記載の液体スプレーガン本体。
【請求項３９】
前記捕捉された回転可能な係止リングが、スナップ機構を介して前記液体スプレーガン本体に組み付け可能でかつ、前記液体スプレーガン本体から取り外し可能である、請求項３７又は３８に記載の液体スプレーガン本体。
【請求項４０】
前記捕捉された回転可能な係止リングが、道具を使用することなく、前記液体スプレーガン本体に組み付け可能でかつ、前記液体スプレーガン本体から取り外し可能である、請求項３７〜３９のいずれか一項に記載の液体スプレーガン本体。
【請求項４１】
請求項１〜２０のいずれか一項に記載の液体スプレーガンノズルアセンブリを、請求項３１〜４０のいずれか一項に記載の液体スプレーガン本体に組み付けることを含む、液体スプレーガンを使用する方法。
【請求項４２】
前記液体スプレーノズルアセンブリを前記液体スプレーガン本体から取り外すことを含む、請求項４１に記載の方法。
【請求項４３】
前記捕捉された回転可能な係止リングを洗浄のために前記液体スプレーガン本体から取り外し、その後、前記捕捉された回転可能な係止リングを前記液体スプレーガン本体に再び組み付けることを含む、請求項３７〜４０のいずれか一項に記載の液体スプレーガン本体を使用する方法。
【請求項４４】
請求項３１〜３０のいずれか一項に記載の液体スプレーガンアセンブリを使用する方法であって、
前記捕捉された回転可能な係止リングを前記組み立て位置に配置することと、
前記第１のカムラグを前記第１のアクセス窓と位置合わせすることと、
前記液体スプレーガンノズルアセンブリを前記噴霧軸に沿って並進させ、前記第１のカムラグを、前記第１のアクセス窓を通過させることと、
前記捕捉された回転可能な係止リングを前記噴霧軸を中心にして回転させ、前記第１のカムラグを前記第１のカム面に係合させることと、
前記係止位置への前記捕捉された回転可能な係止リングの回転を継続し、前記液体スプレーガンノズルアセンブリを前記液体スプレーガン本体に対してシール関係で係止させることと、
を含む、方法。
【請求項４５】
前記第２のカムラグを前記第２のアクセス窓と位置合わせすることと、
前記液体スプレーガンノズルアセンブリを噴霧軸に合わせて（along to）並進させ、前記第２のカムラグを、前記第２のアクセス窓を通過させることと、
前記捕捉された回転可能な係止リングを前記噴霧軸を中心にして回転させ、前記第２のカムラグを前記第２のカム面に係合させることと、
を含む、請求項４４に記載の方法。
【請求項４６】
前記捕捉された回転可能な係止リングを前記係止位置から前記組み立て位置に回転させることと、
前記液体スプレーガンノズルアセンブリを前記噴霧軸に沿って引き、前記液体スプレーガンノズルアセンブリを前記液体スプレーガン本体から取り外すことと、
を含む、請求項４４又は４５に記載の方法。
【請求項４７】
前記液体スプレーガンノズルアセンブリを前記液体スプレーガン本体から取り外した後に、前記捕捉された回転可能な係止リングを前記噴霧軸に沿って引くことによって、前記液体スプレーガン本体から取り外すことを含む、請求項４６に記載の方法。
【請求項４８】
前記捕捉された回転可能な係止リングを前記液体スプレーガン本体から取り外した後に、前記捕捉された回転可能な係止リングを、前記噴霧軸に沿って押すことによって、前記液体スプレーガン本体に再び組み付けることを含む、請求項４７に記載の方法。
【発明の詳細な説明】
【背景技術】
【０００１】
様々な基材へのコーティングの適用のためのスプレーガンが知られている。濡れた部品のより容易な洗浄を促進し、異なる用途のために異なる種類のノズルを交換することを可能にするために、取り外し可能なノズルアセンブリを備えたスプレーガンを提供することが知られている。取り外し可能なノズルアセンブリとスプレーガン本体との間の接続の改善が必要とされている。
【発明の概要】
【０００２】
本開示に係る例示的な実施形態は、限定するものではないが、以下に列挙される実施形態を含む。実施形態は、便宜上番号付けされているか、又は番号付けされていない場合がある。このセクションで具体的に列挙されていないいくつかの追加の実施形態は、添付の詳細な説明に開示されている。
【０００３】
実施形態
１．  液体スプレーガンノズルアセンブリであって、
外部液体源に接続するための液体コネクタを含むコーティング液入口部分と、
コーティング液入口部分を通してノズルアセンブリ内に供給されたコーティング液を噴霧するための噴霧軸に沿って配置された液体ノズルを含むコーティング液出口部分と、
コーティング液入口部分を液体ノズルに流体的に接続するコーティング液流路と、
液体スプレーガンノズルアセンブリを、互換性のある液体スプレーガン本体に接続するようになっている、コーティング液出口部分の反対側のスプレーガン接続部分と、
を備え、スプレーガン接続部分が、
半径方向外側に面する表面を含む外壁と、
半径方向外側に面する表面上に配置され、第１の端部、第２の端部、及びコーティング液出口部分に面するカム面を含む、第１のカム部材と、
第１のカム部材の第１の端部に近接した第１のアクセス窓と、
を含む、液体スプレーガンノズルアセンブリ。
【０００４】
２．  スプレーガン接続部分が、
第１の端部、第２の端部、及びコーティング液出口部分に面するカム面を含む第２のカム部材であって、第１のアクセス窓が、第１のカム部材の第１の端部を第２のカム部材の第２の端部から分離する、第２のカム部材と、
第２のカム部材の第１の端部を第１のカム部材の第２の端部から分離する第２のアクセス窓と、
を更に含む、実施形態１に記載の液体スプレーガンノズルアセンブリ。
【０００５】
３．  第２の半径方向外側に面するカム面が、噴霧軸に垂直に規定されたベース平面に対して傾斜した部分を含む、実施形態２に記載の液体スプレーガンノズルアセンブリ。
【０００６】
４．  液体コネクタがクイックコネクトカプラを含む、実施形態１〜３のいずれか１つに記載の液体スプレーガンノズルアセンブリ。
【０００７】
５．  第１の半径方向外側に面するカム面が、噴霧軸に垂直に規定されたべース平面に対して傾斜した部分を含む、実施形態１〜４のいずれか１つに記載の液体スプレーガンノズルアセンブリ。
【０００８】
６．  スプレーガン接続部分が、液体スプレーガンノズルアセンブリを、互換性のある液体スプレーガン本体に封着するようになっているノズルアセンブリ封着面を含む、実施形態１〜５のいずれか１つに記載の液体スプレーガンノズルアセンブリ。
【０００９】
７．  第１のカム面が、互換性のある液体スプレーガン本体上の相補的なカムラグと相互作用し、液体スプレーガンノズルアセンブリを噴霧軸に沿って引き、ノズルアセンブリ封着面を、互換性のある液体スプレーガン本体と封着関係で配置するようになっている、実施形態６に記載の液体スプレーガンノズルアセンブリ。
【００１０】
８．  第２のカム面を備え、第１及び第２のカム面が、互換性のある液体スプレーガン本体上の相補的なカムラグと相互作用し、液体スプレーガンノズルアセンブリを噴霧軸に沿って引き、ノズルアセンブリ封着面を、互換性のある液体スプレーガン本体と封着関係で配置するようになっている、実施形態７に記載の液体スプレーノズル。
【００１１】
９．  ノズルアセンブリ封着面が、円形である第１の封着部材を含む、実施形態６〜８のいずれか１つに記載の液体スプレーガンノズルアセンブリ。
【００１２】
１０．  ノズルアセンブリ封着面が、それぞれ円形で互いに同心である第１及び第２の封着部材を含む、実施形態項６〜８のいずれか１つに記載の液体スプレーガンノズルアセンブリ。
【００１３】
１１．  第１及び第２の封着部材が噴霧軸を中心にして同心である、実施形態１０に記載の液体スプレーガンノズルアセンブリ。
【００１４】
１２．  互換性のある液体スプレーガン本体に接続されると、成形空気ゾーンが第１及び第２の封着部材の間で隔離される、実施形態１０又は１１に記載の液体スプレーガンノズルアセンブリ。
【００１５】
１３．  互換性のある液体スプレーガン本体に接続されると、中央空気ゾーンが第２の封着部材内で隔離される、実施形態１０〜１２のいずれか１つに記載の液体スプレーガンノズルアセンブリ。
【００１６】
１４．  ノズルアセンブリ封着面が、円形であり、第１及び第２の封着部材と同心である第３の封着部材を含む、実施形態１０〜１３のいずれか１つに記載の液体スプレーガンノズルアセンブリ。
【００１７】
１５．  互換性のある液体スプレーガン本体に接続されると、成形空気ゾーンが第２及び第３の封着部材の間で隔離される、実施形態１４に記載の液体スプレーガンノズルアセンブリ。
【００１８】
１６．  互換性のある液体スプレーガン本体に接続されると、液体ニードルが第３の封着部材内で隔離される、実施形態１４又は１５に記載の液体スプレーガンノズルアセンブリ。
【００１９】
１７．  第１のカム面が、互換性のある液体スプレーガン本体上の相補的なカムラグと相互作用し、液体スプレーガンノズルアセンブリを、液体スプレーガンノズルアセンブリの回転を伴うことなく、噴霧軸に沿って、互換性のある液体スプレーガン本体に引き寄せるようになっている、実施形態１〜１６のいずれか１つに記載の液体スプレーガンノズルアセンブリ。
【００２０】
１８．  第２のカム面を備え、第１及び第２のカム面が、互換性のある液体スプレーガン本体上の相補的なカムラグと相互作用し、液体スプレーガンノズルアセンブリを、液体スプレーガンノズルアセンブリの回転を伴うことなく、噴霧軸に沿って、互換性のある液体スプレーガン本体に引き寄せるようになっている、実施形態１７に記載の液体スプレーノズル。
【００２１】
１９．  第１のアクセス窓が、互換性のある液体スプレーガン本体上の相補的なカムラグが、第１の半径方向外側に面するカム部材のカム面に到達するためのアクセスを可能にする、実施形態１〜１８のいずれか１つに記載の液体スプレーガンノズルアセンブリ。
【００２２】
２０．  第２のアクセス窓を備え、第１及び第２のアクセス窓が、互換性のある液体スプレーガン本体上の相補的なカムラグが、第１及び第２の半径方向外側に面するカム部材のカム面に到達するためのアクセスを可能にする、実施形態１９に記載の液体スプレーガンノズルアセンブリ。
【００２３】
２１．  液体スプレーガン本体と、
実施形態１〜２０のいずれか１つに記載の液体スプレーガンノズルアセンブリと、
を備える、液体スプレーガンアセンブリ。
【００２４】
２２．  液体スプレーガン本体が、液体スプレーガンノズルアセンブリの接続のための捕捉された回転可能な係止リングを含む、実施形態２１に記載の液体スプレーガンアセンブリ。
【００２５】
２３．  捕捉された回転可能な係止リングが、液体スプレーガンノズルアセンブリ上の第１及び第２のカム面と相互作用するようになっている第１及び第２のカムラグを含む、実施形態２２に記載の液体スプレーガンアセンブリ。
【００２６】
２４．  捕捉された回転可能な係止リングが、噴霧軸を中心にして組み立て位置及び係止位置に回転可能であり、
組み立て位置では、液体スプレーガンノズルアセンブリの組み付け又は取り外しを可能にするために、第１及び第２のカムラグが第１及び第２のアクセス窓と丁重に（respectfully）位置合わせされ、
係止位置では、液体スプレーガンノズルアセンブリを液体スプレーガン本体に対して係止させるために、第１及び第２のカムラグが第１及び第２のカム面に丁重に（respectfully）当接する、
実施形態２３に記載の液体スプレーガンアセンブリ。
【００２７】
２５．  組み立て位置から係止位置への捕捉された回転可能な係止リングの回転が、噴霧軸を中心にして１８０度未満である、実施形態２４に記載の液体スプレーガンアセンブリ。
【００２８】
２６．  組み立て位置から係止位置への捕捉された回転可能な係止リングの回転が、噴霧軸を中心にして１４０度未満である、実施形態２５に記載の液体スプレーガンアセンブリ。
【００２９】
２７．  捕捉された回転可能な係止リングが、捕捉された回転可能な係止リングを噴霧軸に沿って押すことによって液体スプレーガン本体上に組み付け可能であり、噴霧軸に沿って引くことによって液体スプレーガン本体から取り外し可能である、実施形態２２〜２６のいずれか１つに記載の液体スプレーガンアセンブリ。
【００３０】
２８．  捕捉された回転可能な係止リングが、噴霧軸を中心にして組み立て位置及び係止位置に回転可能であり、捕捉された回転可能な係止リングが、組み立て位置に回転された時には、液体スプレーガン本体上に組み付け可能でかつ、液体スプレーガン本体から取り外し可能であるが、係止位置に回転された時には、取り外し可能でない、実施形態２７に記載の液体スプレーガンアセンブリ。
【００３１】
２９．  捕捉された回転可能な係止リングが、スナップ機構を介して液体スプレーガン本体に組み付け可能でかつ、液体スプレーガン本体から取り外し可能である、実施形態２７又は２８に記載の液体スプレーガンアセンブリ。
【００３２】
３０．  捕捉された回転可能な係止リングが、道具を使用することなく、液体スプレーガン本体に組み付け可能でかつ、液体スプレーガン本体から取り外し可能である、実施形態２７〜２９のいずれか１つに記載の液体スプレーガンアセンブリ。
【００３３】
３１．  互換性のある液体スプレーガンノズルアセンブリの接続を可能にするようになっている、捕捉された回転可能な係止リングを備えコーティング液の通路を含まない、液体スプレーガン本体。
【００３４】
３２．  捕捉された回転可能な係止リングが、互換性のある液体スプレーガンノズルアセンブリ上の第１のカム面と相互作用するようになっている第１のカムラグを含む、実施形態３１に記載の液体スプレーガン本体。
【００３５】
３３．  捕捉された回転可能な係止リングが、互換性のある液体スプレーガンノズルアセンブリ上の第２のカム面と相互作用するようになっている第２のカムラグを含む、実施形態３２に記載の液体スプレーガン本体。
【００３６】
３４．  捕捉された回転可能な係止リングが組み立て位置及び係止位置に回転可能であり、
組み立て位置では、互換性のある液体スプレーガンノズルアセンブリが組み付け可能及び取り外し可能でかつ、
係止位置では、互換性のある液体スプレーガンノズルアセンブリが液体スプレーガン本体に対して係止可能である、実施形態３１〜３３のいずれか１つに記載の液体スプレーガン本体。
【００３７】
３５．  組み立て位置から係止位置への捕捉された回転可能な係止リングの回転が、噴霧軸を中心にして１８０度未満である、実施形態３４に記載の液体スプレーガン本体。
【００３８】
３６．  組み立て位置から係止位置への捕捉された回転可能な係止リングの回転が、噴霧軸を中心にして１４０度未満である、実施形態３５に記載の液体スプレーガン本体。
【００３９】
３７．  捕捉された回転可能な係止リングが、捕捉された回転可能な係止リングを液体スプレーガン本体上に押すことによって液体スプレーガン本体上に組み付け可能であり、液体スプレーガン本体から引くことによって液体スプレーガン本体から取り外し可能である、実施形態３１〜３６のいずれか１つに記載の液体スプレーガン本体。
【００４０】
３８．  捕捉された回転可能な係止リングが、噴霧軸を中心にして組み立て位置及び係止位置に回転可能であり、捕捉された回転可能な係止リングが、組み立て位置に回転された時には、液体スプレーガン本体上に組み付け可能でかつ、液体スプレーガン本体から取り外し可能であるが、係止位置に回転された時には、取り外し可能でない、実施形態３７に記載の液体スプレーガン本体。
【００４１】
３９．  捕捉された回転可能な係止リングが、スナップ機構を介して液体スプレーガン本体に組み付け可能でかつ、液体スプレーガン本体から取り外し可能である、実施形態３７又は３８に記載の液体スプレーガン本体。
【００４２】
４０．  捕捉された回転可能な係止リングが、道具を使用することなく、液体スプレーガン本体に組み付け可能でかつ、液体スプレーガン本体から取り外し可能である、実施形態３７〜３９のいずれか１つに記載の液体スプレーガン本体。
【００４３】
４１．  実施形態１〜２０のいずれか１つに記載の液体スプレーガンノズルアセンブリを実施形態３１〜４０のいずれか１つに記載の液体スプレーガン本体上に組み付けることを含む、液体スプレーガンを使用する方法。
【００４４】
４２．  液体スプレーノズルアセンブリを液体スプレーガン本体から取り外すことを含む、実施形態４１に記載の方法。
【００４５】
４３．  捕捉された回転可能な係止リングを洗浄のために液体スプレーガン本体から取り外し、その後、捕捉された回転可能な係止リングを液体スプレーガン本体上に再び組み付けることを含む、実施形態３７〜４０のいずれか１つに記載の液体スプレーガン本体を使用する方法。
【００４６】
４４．  実施形態３１〜３０のいずれか１つに記載の液体スプレーガンアセンブリを使用する方法であって、
捕捉された回転可能な係止リングを組み立て位置に配置することと、
第１のカムラグを第１のアクセス窓と位置合わせすることと、
液体スプレーガンノズルアセンブリを噴霧軸に沿って並進させ、第１のカムラグを、第１のアクセス窓を通過させることと、
捕捉された回転可能な係止リングを噴霧軸を中心にして回転させ、第１のカムラグを第１のカム面に係合させることと、
係止位置への捕捉された回転可能な係止リングの回転を継続し、液体スプレーガンノズルアセンブリを液体スプレーガン本体に対して封着関係で係止させることと、
を含む、方法。
【００４７】
４５．  第２のカムラグを第２のアクセス窓と位置合わせすることと、
液体スプレーガンノズルアセンブリを噴霧軸に合わせて（along to）並進させ、第２のカムラグを、第２のアクセス窓を通過させることと、
捕捉された回転可能な係止リングを噴霧軸を中心にして回転させ、第２のカムラグを第２のカム面に係合させることと、
を含む、実施形態４４に記載の方法。
【００４８】
４６．  捕捉された回転可能な係止リングを係止位置から組み立て位置に回転させることと、
液体スプレーガンノズルアセンブリを噴霧軸に沿って引き、液体スプレーガンノズルアセンブリを液体スプレーガン本体から取り外すことと、
を含む、実施形態４４又は４５に記載の方法。
【００４９】
４７．  液体スプレーガンノズルアセンブリを液体スプレーガン本体から取り外した後に、捕捉された回転可能な係止リングを、噴霧軸に沿って引くことによって、液体スプレーガン本体から取り外すことを含む、実施形態４６に記載の方法。
【００５０】
４８．  捕捉された回転可能な係止リングを液体スプレーガン本体から取り外した後に、捕捉された回転可能な係止リングを、噴霧軸に沿って押すことによって、液体スプレーガン本体上に再び組み付けることを含む、実施形態４７に記載の方法。
【００５１】
「好ましい」及び「好ましくは」という語は、特定の状況下で特定の利点をもたらし得る本明細書に記載される実施形態を指す。しかし、他の実施形態もまた、同じ又は他の状況において好ましい場合がある。更にまた、１つ以上の好ましい実施形態の記載は、他の実施形態が有用でないことを含意するものではなく、他の実施形態を本発明の範囲から排除することを意図するものでもない。
【００５２】
本明細書及び添付の特許請求の範囲において使用する時、文脈上特に明記されない限り、単数形「ａ」、「ａｎ」及び「ｔｈｅ」は複数の指示対象を含む。したがって、例えば、「ａ」又は「ｔｈｅ」が付いた構成要素への言及は、１以上の構成要素及び当業者に公知のその等価物を含み得る。更に、「及び／又は」という用語は、列挙された要素のうちの１つ若しくは全て、又は列挙された要素のうちの任意の２つ以上の組み合わせを意味する。
【００５３】
用語「含む（comprises）」及びその変化形は、これらの用語が添付の説明において現れる場合、限定的な意味を有しないことに留意されたい。更に、「ａ」、「ａｎ」、「ｔｈｅ」、「少なくとも１つの〜（at least one）」、及び「１つ以上の〜（one or more）」は、本明細書において互換的に使用される。
【００５４】
左、右、前方、後方、上部、底部、側、上方、下方、水平、垂直などの相対語が、本明細書において使用される場合があり、その場合、特定の図面において見られる視点からのものである。これらの用語は、説明を簡単にするためだけに使用される。しかしながら、本発明の範囲を決して制限しない。
【００５５】
本明細書全体において、「一実施形態」、「特定の実施形態」、「１つ以上の実施形態」又は「ある実施形態」に対する言及は、その実施形態に関連して記載される特定の特徴、構造、材料又は特性が、本発明の少なくとも１つの実施形態に含まれることを意味する。したがって、本明細書全体を通して様々な箇所にある「１つ以上の実施形態では」、「特定の実施形態では」、「一実施形態では」、又は「ある実施形態では」などの句の出現は、必ずしも本発明の同一の実施形態に言及しているわけではない。更に、特定の特徴、構造、材料、又は特性は、１つ以上の実施形態では任意の好適な方法で組み合わされてもよい。
【００５６】
上述の概要は、本明細書に記載されるレザーバ及び関連付けられたベントアセンブリの各実施形態又は全ての実装形態を説明することを意図されていない。むしろ、本発明のより完全な理解は、添付図面の図を考慮して以下の例示的な実施形態の説明及び添付の請求項を参照することによって明らかになり、認識されるであろう。
【００５７】
本発明のこれらの態様及び他の態様は、以下の発明を実施するための形態から明らかになろう。しかしながら、上記の概要は、いかなる場合であっても、特許請求される主題に対する限定として解釈されるべきではなく、その主題は、添付の「特許請求の範囲」によってのみ定義されるものであるが、手続きの過程で補正される場合もある。
【図面の簡単な説明】
【００５８】
本明細書の全体を通じて添付の図面を参照するが、図中、同様の参照符号は、同様の要素を示す。
【図１】本開示に係る例示的な液体スプレーガンを示す。
【図２】本開示に係る例示的な液体スプレーガンを示す。
【図３】本開示に係る例示的な液体スプレーガンを示す。
【図４】液体スプレーガンノズルアセンブリが取り外された例示的な液体スプレーガンを示す。
【図５】液体スプレーガンノズルアセンブリが取り外された例示的な液体スプレーガンを示す。
【図６】組み立て位置にあるノズルアセンブリ接続部分を示す。
【図６Ａ】係止位置にあるノズルアセンブリ接続部分を示す。
【図７】液体スプレーガンノズルアセンブリ及び係止リングが取り外された例示的な液体スプレーガンを示す。
【図８】液体スプレーガンノズルアセンブリ及び係止リングが取り外された例示的な液体スプレーガンを示す。
【図９】液体スプレーガンノズルアセンブリ及び係止リングが取り外された例示的な液体スプレーガンを示す。
【図１０】液体スプレーガンノズルアセンブリ及び係止リングが取り外された例示的な液体スプレーガンを示す。
【図１１】液体スプレーガンノズルアセンブリ及び係止リングが取り外された例示的な液体スプレーガンを示す。
【図１２】液体スプレーガンノズルアセンブリ及び係止リングが取り外された例示的な液体スプレーガンを示す。
【図１３】本開示に係る例示的なスプレーガンノズルアセンブリを示す。
【図１４】本開示に係る例示的なスプレーガンノズルアセンブリを示す。
【図１５】本開示に係る例示的なスプレーガンノズルアセンブリを示す。
【図１６】本開示に係る例示的なスプレーガンノズルアセンブリを示す。
【図１７】図１３の１７−１７において取得されたスプレーガンノズルアセンブリの断面図である。
【図１８】本開示に係る例示的な係止リングを示す。
【図１９】本開示に係る例示的な係止リングを示す。
【図２０】図１９の２０−２０において取得された係止リング断面図である。
【図２１】本開示に係る係止リングを示す。
【図２２】図１９の２２−２２において取得された係止リングの断面図である。
【発明を実施するための形態】
【００５９】
図１〜３を参照すると、液体スプレーガン２の様々な例示的な実施形態が示されている。液体スプレーガン２は、ハンドル４と、トリガー５と、外部圧力源６のための接続部と、液体スプレーガン本体３と、液体ニードル調整ノブ９と、成形空気制御ノブ８と、液体スプレーガンノズルアセンブリ１００とを備える。液体スプレーガンノズルアセンブリ１００は、スプレーガン本体３上のノズルアセンブリ接続部分２００において取り外し可能及び取り付け可能であるスプレーガン接続部分１２０を含む。
【００６０】
液体スプレーガンノズルアセンブリ１００は、（コーティング液入口部分１０２に位置する）液体スプレーガンコーティング液コネクタ１０４の一方の端部を含み、これを通してコーティング液が外部液体源６’から液体スプレーガン２に供給される。例えば、図１及び図３に示されるように、液体コネクタ１０４はクイックコネクトカプラ１０５を含む。このようなクイックコネクトカプラが、例えば、その開示全体が本明細書に参照により組み込まれる、２０１６年１２月６日に出願された、「Ｐａｉｎｔ  Ｓｐｒａｙ  Ｇｕｎ  Ｃｏａｔｉｎｇ  Ｌｉｑｕｉｄ  Ｃｏｎｎｅｃｔｏｒ」と題する米国仮特許出願第６２／４３０，３８８号（３Ｍ整理番号７７３８５ＵＳ００２）に記載されている。他の液体コネクタも可能である。例えば、液体コネクタ１０４は、それらの開示全体が本明細書に参照により組み込まれる、国際公開第２０１７／１２３７０７号、国際公開第２０１７／１２３７１４号、国際公開第２０１７／１２３７１５号、国際公開第２０１７／１２３７１８号、並びに／或いは米国特許出願公開第２０１３／０２２１１３０Ａ１号（「Ｓｐｒａｙｇｕｎ  ｗｉｔｈ  ｂｕｉｌｔ−ｉｎ  ｑｕｉｃｋ−ｆｉｔ  ｃｏｎｎｅｃｔｏｒ」）、同２００４／００１６８２５Ａ１号（「Ｍｉｘｉｎｇ  ｃｕｐ  ａｄａｐｔｉｎｇ  ａｓｓｅｍｂｌｙ」）、同２０１５／００９０６１４Ａ１号（「Ａｐｐａｒａｔｕｓ  ｆｏｒ  ｓｐｒａｙｉｎｇ  ｌｉｑｕｉｄｓ，ａｎｄ  ａｄａｐｔｅｒｓ  ａｎｄ  ｌｉｑｕｉｄ  ｒｅｓｅｒｖｏｉｒｓ  ｓｕｉｔａｂｌｅ  ｆｏｒ  ｕｓｅ  ｔｈｅｒｅｗｉｔｈ」）、同２００６／００６５７６１Ａ１号（「Ｅａｓｙ  ｃｌｅａｎ  ｓｐｒａｙ  ｇｕｎ」）、同２０１６／００５２００３Ａ１号（「Ｌｉｑｕｉｄ  Ｓｐｒａｙ  ｇｕｎ，ｓｐｒａｙ  ｇｕｎ  ｐｌａｔｆｏｒｍ，ａｎｄ  ｓｐｒａｙ  ｈｅａｄ  ａｓｓｅｍｂｌｙ」）、及び／又は同２０１５／００２８１３１号（「Ｓｐｒａｙ  ｇｕｎ  ｈａｖｉｎｇ  ｉｎｔｅｒｎａｌ  ｂｏｏｓｔ  ｐａｓｓａｇｅｗａｙ」）に記載されている接続、又は接続の機構を含み得る。具体的には、液体コネクタ１０４は、重力供給式スプレーガン塗料レザーバコネクタを含み得る。図２に、その一例が示される。
【００６１】
液体スプレーガンノズルアセンブリ１００内には、液体スプレーガンコーティング液コネクタ１０４から液体ノズル１０８へとコーティング液が流れるコーティング液流路１１０がある（例えば、図１９参照）。動作時、コーティング液は、コーティング液入口部分１０２から、コーティング液流路１１０に沿って、液体ニードル９’と平行な噴霧軸１０１に沿って進み、最終的には、トリガー５を押下すると、液体ノズル１０８から噴出される。スプレーガンがアイドル状態である（即ち、噴霧していない）時には、液体ニードル９’は、典型的には、液体ノズル１０８を閉塞する。液体ニードルは、１つ以上の液体ニードル封着要素１１１によって、コーティング液流路１１０の後方端部に向かって封着される（例えば、図１７に見られるとおり。同図では、例示的な液体スプレーガンノズルアセンブリ１００が、取り外された状態で示されているため、液体ニードル１０９は示されていない）。トリガー５が押下されると、液体ニードル９’が液体ノズル１０８から引き抜かれ、それによってコーティング液が通過することが可能になる。同時に、トリガーを押下することにより、加圧空気供給が作動され、（ガンの種類に応じて）コーティング液を液体ノズル１０８に通し、及び／若しくはそこから出るよう駆り立てるか、コーティング液を霧化するか、又はコーティング液を（例えば、以下に説明する空気キャップ１１５を介して）成形するのを支援する。液体ニードル９’の移動及びガンを通る全空気流は、液体ニードル調整制御装置９を介して調整される。図示の実施形態では、（成形目的のための）空気キャップ１１５と（霧化目的のための）中央空気出口１０７との間の空気流の相対体積は、空気調整制御装置８を介して制御される。ノズル本体１００’の前端部はノズルプレート１０８’を含み、ノズルプレート１０８’は、成形空気及び霧化空気を、組み立てられた空気キャップ１１５内の成形空気ゾーン４４２及び中央空気ゾーン４４４（他の箇所に記載）へ案内するための空気案内装置と共に、液体ノズル１０８を含む。図示の実施形態では、ノズルプレート１０８’は、任意選択的に、接着剤、又は同様のものによってノズル本体１００’に封着固定された別個の部品として設けられている。他の実施形態では、ノズルプレート１０８’はノズル本体１００’と一体である。
【００６２】
いくつかの実施形態では、液体スプレーノズルアセンブリは、その噴霧端部に取り付けられた空気キャップ１１５を備える。設けられる場合には、空気キャップ１１５は、加圧空気が液体ノズル１０８から噴出される際に、例えば、１つ以上の空気ホーン１１７内に配置された１つ以上の成形空気出口１１６を介して、加圧空気を有利にコーティング液の流れに向けて方向付けることができ、コーティング液の霧化、及び所与の用途のための所望の噴霧パターンへのコーティング液ジェットの成形を補助することができる。空気キャップ内において、又は空気キャップの近傍において、中央空気出口１０７は空気を液体出口１０８の周囲に誘導し、液体ノズル１０８からコーティング液を引き出し、（所望の場合には）また、コーティング液に衝突してそれを霧化し、液滴の微細ミストを作り出す。任意選択的に、１つ以上の補助空気出口１１８が、噴霧パターンの成形を更に補助するために、空気キャップ１１５内に設けられていてもよい。空気キャップ１１５、中央空気出口１０７、液体ノズル１０８、空気ホーン１１７、補助空気出口１１８、及び成形空気出口１１６は、それらの開示全体が本明細書において参照により組み込まれる、２０１６年１２月６日に出願された、「Ｓｐｒａｙ  Ｇｕｎ  Ａｉｒ  Ｃａｐ  Ｒｅｔｅｎｔｉｏｎ  Ｍｅａｎｓ」と題する米国特許仮出願第６２／４３０，３９３号（３Ｍ整理番号７９０３５ＵＳ００２）、及び／若しくは米国特許出願公開第２０１６／００５２００３Ａ１号（「Ｌｉｑｕｉｄ  Ｓｐｒａｙ  ｇｕｎ，ｓｐｒａｙ  ｇｕｎ  ｐｌａｔｆｏｒｍ，ａｎｄ  ｓｐｒａｙ  ｈｅａｄ  ａｓｓｅｍｂｌｙ」）、同２０１３／０３２７８５０Ａ１号（「Ｎｏｚｚｌｅ  ｔｉｐｓ  ａｎｄ  ｓｐｒａｙ  ｈｅａｄ  ａｓｓｅｍｂｌｉｅｓ  ｆｏｒ  ｌｉｑｕｉｄ  ｓｐｒａｙ  ｇｕｎｓ」）、同２０１４／０２４６５１９Ａ１号（「Ｓｐｒａｙ  ｈｅａｄ  ａｓｓｅｍｂｌｙ  ｗｉｔｈ  ｉｎｔｅｇｒａｔｅｄ  ａｉｒ  ｃａｐ／ｎｏｚｚｌｅ  ｆｏｒ  ａ  ｌｉｑｕｉｄ  ｓｐｒａｙ  ｇｕｎ」）、同２０１３／００９２７６０Ａ１号（「Ｓｐｒａｙ  ｈｅａｄ  ａｓｓｅｍｂｌｉｅｓ  ｆｏｒ  ｌｉｑｕｉｄ  ｓｐｒａｙ  ｇｕｎｓ」）、同２０１５／００６９１４２Ａ１号（「Ｓｐｒａｙ  ｇｕｎ  ｂａｒｒｅｌ  ｗｉｔｈ  ｉｎｓｅｐａｒａｂｌｅ  ｎｏｚｚｌｅ」）、同２０１６／０１５１７９７Ａ１号（「Ａｉｒ  ｃａｐｓ  ｗｉｔｈ  ｆａｃｅ  ｇｅｏｍｅｔｒｙ  ｉｎｓｅｒｔｓ  ｆｏｒ  ｌｉｑｕｉｄ  ｓｐｒａｙ  ｇｕｎｓ」）、同２０１６／０１７５８６１Ａ１号（「Ｎｏｚｚｌｅ  ａｓｓｅｍｂｌｉｅｓ，ｓｙｓｔｅｍｓ  ａｎｄ  ｒｅｌａｔｅｄ  ｍｅｔｈｏｄｓ」）、並びに／又は国際公開第２０１５／１９１３２３号）、及び／若しくは国際公開第２０１６／１９１２４０号）に記載されるように構成され得る。図示の実施形態では、コーティング液が液体スプレーガンノズルアセンブリ１００内に完全に収容されているため、使用後に液体スプレーガン本体３を洗浄する必要が概ね回避される。
【００６３】
外部液体源６’は、液体スプレーガンノズルアセンブリ１００に直接取り付けられた容器であってもよく（例えば、図２を参照）、又はホースを介して液体スプレーガンノズルアセンブリ１００に接続された遠隔レザーバを含んでもよい。いくつかの実施形態では、外部液体源は、コーティング液を液体スプレーガンノズルアセンブリ１００に押し込むために（加圧キャニスタ、遠隔ポンプ、又は同様のものを介して）遠隔で加圧される。他の実施形態では、コーティング液は、重力下で（再び図２を参照されたい）、液体ノズル１０８におけるベンチュリによって誘発される負圧によって、ローカルポンプによって、又は上記のものの組み合わせを通じて、液体スプレーガンノズルアセンブリ１００に押し込まれるか、又は引き込まれてもよい。上述されたように、外部液体源は変化し得るため、それは図１及び図３において概略的な形で示されている。
【００６４】
図４及び図５に示されるように、液体ニードル９’が液体スプレーガン本体３に取り付けられており、これにより、液体スプレーガン本体３の洗浄は、概して、液体スプレーガンノズルアセンブリ１００を取り外した後に液体ニードルの先端を拭くか、又は別の方法できれいにすることに限られる。他の実施形態では、液体ニードルは液体スプレーガンノズルアセンブリ１００内に収容されてもよく、これにより、液体ニードルは液体スプレーガンノズルアセンブリ１００と共に液体スプレーガン本体３から取り外し可能である。いずれの場合でも、液体スプレーガンノズルアセンブリ１００は、使い捨て式である場合には、使用後に廃棄することができ、これにより、更なる洗浄は必要とされない。代替的に、液体スプレーガンノズルアセンブリ１００は、再利用可能な場合には、洗浄するために残される液体スプレーガン２の唯一の部分となる。どちらの構成も、従来のスプレーガンにおいて典型的に必要とされるものと比較して、洗浄時間及び溶媒などの材料の縮減をもたらすことができる。
【００６５】
例示的なノズルアセンブリ接続部分２００は、図４〜図６に見られるように、捕捉された回転可能な係止リング２１０によって、液体スプレーガン本体３への液体スプレーガンノズルアセンブリ１００の取り付けを容易にする。図６は、噴霧軸１０１に沿って見たノズルアセンブリ接続部分２００を示す。図示のように、成形空気ポート２０２及び中央空気ポート２０４が存在し、これらを通して、成形空気及び中央空気が液体スプレーガンノズルアセンブリ１００にそれぞれ供給される。同様に設けられているのは、液体ニードル９’が内部に存在する液体ニードルポート２０６である。図１３に、液体スプレーガンノズルアセンブリ１００のスプレーガン接続部分１２０の対応する図が示される。
【００６６】
次に、ノズルアセンブリ接続部分２００とスプレーガン接続部分１２０との相互作用に言及し、図６及び図１３を更に参照する。液体スプレーガンノズルアセンブリ１００がノズルアセンブリ接続部分２００に取り付けられると、様々な封着機構が相互作用して様々なゾーンを隔離し、それによって空気流の適切な制御を可能にする。例えば、相互作用は以下の表に従って行われる。
【表１】
2019535510.tif 000003
【００６７】
前述の封着を設けることにより、成形空気ゾーン１７６、中央空気ゾーン１８０、及び液体ニードルゾーン１８６の隔離が可能になる。換言すれば、接続及び封着後、成形空気ポート２０２は空気を成形空気ゾーン１７６に供給し、中央空気ポート２０４は空気を中央空気ゾーン１８０に供給し、液体ニードルポート２０６は、液体ニードルゾーン１８６内に液体ニードル９’を提供することを容易にする。通例、液体ニードル９’の周囲の封着（例えば、パッキン（図示せず））がすでに設けられており、それゆえ、中央空気ゾーン内の空気に対する追加の封着を必要とせずとも、コーティング液及び加圧空気がすでに流体的に隔離されているため、第３の封着部材１８４及び第３の封着座部２８４は任意選択的なものであることを理解されたい。このような場合には、１８４に示されるような対応する構造が依然として存在し得るが（例えば、図１７を参照）、それは封着機能を達成する必要はない。
【００６８】
いくつかの実施形態では、第１の封着部材１６８及び第２の封着部材１７２は本質的に同心である。いくつかの実施形態では、第２の封着部材１７２及び第３の封着部材１８４は本質的に同心である。いくつかの実施形態では、第１の封着部材１６８及び第３の封着部材１８４は本質的に同心である。いくつかの実施形態では、第１の封着部材１６８、の第２の封着部材１７２、及び第３の封着部材１８４は本質的に同心である。本明細書で使用する時、「本質的に同心」とは、記載された特徴が、共通軸（例えば、噴霧軸１０１）を包囲し、形状が円形であり、円形形状（単数又は複数）内に不規則性が許容されることを意味する。上記の定義の範囲内の不規則性の一例は、ノズルアセンブリ接続部分２００内のガン位置合わせ機構２８５に対応する、ノズル位置合わせ機構１８５である。このような不規則性は、スプレーガン本体３に対するスプレーガンノズルアセンブリ１００の回転位置合わせの促進を支援することができる。
【００６９】
一実施形態では、それぞれの封着部材（単数又は複数）及び封着座部（単数又は複数）は、ガスケットなどの弾性的に圧縮可能な材料によって封着機能を提供する。このようなガスケットは、例えば、スナップ又は接着剤によって取り付けられるいずれか又は両方の構成要素上の別個の部品として設けることができる。代替的に、ガスケットは、１つ又は両方の構成要素上に（又はその内部に）オーバーモールド又はインサート成形されてもよい。
【００７０】
更に別の実施形態では、封着機能は、構成要素のうちの１つ以上自体の変形によってもたらされる。このような実施形態では、液体スプレーガンノズルアセンブリ１００及びノズルアセンブリ接続部分２００の相対的な幾何学的形状及び材料は、別個の構成要素又は特別なガスケット材料を設けることなく封着を作り出すよう相互作用するように選定される。例えば、図１７において見ることができるように、第１及び第２の封着部材１６８及び１７２は、尖った輪郭で終端する先細状リムとして設けられている。これらの尖った輪郭は、対応する第１及び第２の封着座部２６８及び２７２と相互作用し、これにより、（選定された材料の相対硬さに応じて）（ｉ）尖った輪郭がわずかに「圧潰し」、封着を形成するか、或いは（ｉｉ）尖った輪郭が封着座部（単数又は複数）内にわずかに食い込むか又は穿鑿する。いくつかの実施形態では、圧潰及び穿鑿の両方が協調して生じる。本段落によって説明される実施形態では、追加の封着材料又は部品の必要性を排除することにより、構成要素を簡略化し、より安価な仕方で製作することができる。先細状リムは、図１７において、頂点で終端する単一の先細り面を有するように示されているが、それらは、代替的に、頂点で合流する２つの先細り面などで構築され得るであろう。
【００７１】
いくつかの実施形態では、封着座部は、封着部材が、座部のブラインド端部に対して完全に着座する前に、内部へ或る距離滑り込むことができる、ブラインド陥凹受容ポートとして設けられている。このような実施形態では、摩擦が単独で十分な封着をもたらし得るか、又は上述されたとおりの圧潰及び／若しくは穿鑿によって、又は上述されたとおりの封着若しくはガスケット材料によって補助されるか、又はこれらのみによってもたらされ得る。
【００７２】
選定された特定の封着の性質にかかわらず、封着は、摺動封着（例えば、ピストン型封着）（図６及び図１７に示される、第３の封着部材１８４と第３の封着座部２８４との相互作用を参照）、面封着（図６及び図１７に示される、第１及び第２の封着部材１６８及び１７２と第１及び第２の封着座部２６８及び２７２との間の相互作用を参照）、又はこれらの組み合わせとして提供することができる。
【００７３】
図１８〜図２０に見られるように、係止リング２１０は１つ以上のカムラグ２３０を含む。図示の実施形態に示されるように、２つのカムラグ２３０が互いに反対側に配置され、係止リング２１０の周縁を中心にして等距離を隔てて離間配置されている。各カムラグ２３０は、液体スプレーガンノズルアセンブリ１００上に位置するカム部材（１３２、１３６）上のカム面１４８と相互作用するように配置されたラグカム面２３２を含む。
【００７４】
図１８及び図２０に示されるように、係止リング２１０は、スプレーガン本体３上における係止リング２１０の保持を容易にし、係止リングの制御された回転を案内するための１つ以上の案内機構２４０を更に含む。案内部材は、係止リング２１０の取り外し可能な保持を容易にする１つ以上のスナップ機構２４２を任意選択的に更に含み得る。係止リングの外面は、道具を使用することなく、係止リング２１０が組み立て位置２１４及び係止位置２１８に移動させられることを可能にする、握持機構を含むことができる。
【００７５】
次に図７〜図１２を参照すると、ノズルアセンブリ接続部分２００が、係止リング２１０が取り外された状態で示されている。１つ以上のスナップ窓２４６が、案内機構（単数又は複数）２４０及びスナップ機構（単数又は複数）２４２の円周位置（単数又は複数）に対応するように設けられている。係止リング２１０は、案内部材（単数又は複数）２４０をスナップ窓（単数又は複数）２４６（組み立て位置２１４に対応する）と位置合わせし、案内部材（単数又は複数）２４０がスナップ窓（単数又は複数）２４６を通過するよう、係止リング２１０を噴霧軸１０１に沿ってスプレーガン本体３上に並進させることによって、ノズルアセンブリ接続部分２００上に組み立てることができる。係止リングが組み付け位置に十分に移動すると、１つ以上のスナップ機構（単数又は複数）はスナップ軌道２４４にスナップ嵌めされ、これにより、係止リング２１０をスプレーガン本体３上に保持された関係に保持し、その一方で、依然として回転を可能にする。また、係止リング２１０が回転させられる際に、案内機構（単数又は複数）２４０が乗ることができるリング軌道２１１も設けられている。スナップ機構（単数又は複数）２４２もまた、スナップ軌道２４４内で回転することができることが分かる。
【００７６】
図示の実施形態では、図６及び図６Ａに示されるように、ノズルアセンブリ接続部分を噴霧軸１０１に沿って見ると、このとき、係止リングは、案内機構（単数又は複数）２４０が遠位リング回転ストッパ２１３’と接触するまで、時計方向に回転させることができる。逆に、係止リング２１０は、案内機構（単数又は複数）２４０が近位リング回転ストッパ２１３（この場合も先と同様に組み立て位置２１４に対応する）に接触するまで、反時計方向に回転させることができる。
【００７７】
係止リングが組み立て位置２１４にある時には、係止リング２１０を、噴霧軸１０１に沿って外向きに引くことによって、スプレーガン本体３から取り外すことが可能であり、これにより、スナップ機構（単数又は複数）２４２をスナップ軌道２４４から係合解除し、案内機構（単数又は複数）がスナップ窓（単数又は複数）２４６を通って外向きに並進させられることを可能にする。このようにして、洗浄又は交換が必要になった場合には、道具を使用することなく、係止リングを洗浄又は交換のために容易に取り外すことができる。ここに本開示のシステムの利点があり、これにより、時間とともにコーティング液で汚染され得る可動部品に洗浄又は交換のために容易にアクセスすることができる。係止リング２１０は、必要に応じて使い捨て部品として有利に提供することができ、これにより、交換コストが最小限に抑えられる。更に、係止リング２１０は弾性材料（射出成形ポリマーなど）で構築することができ、コストを低減するだけでなく、本明細書に記載されるスナップ機能を実行する（即ち、スナップ機構（単数又は複数）２４２がスナップ軌道２４４内にスナップ嵌めされ、そこから抜けるようにわずかに運動することを可能にするために必要とされる所要の弾性ももたらす。
【００７８】
代替的な実施形態では、係止リング２１０の組み付け及び／又は取り外しは、組み立て位置以外の位置で行うことができる。例えば、いくつかの実施形態では、係止リングは、上述の組み立て位置とは異なる係止リング取り外し位置に更に回転可能である。このような実施形態のうちの１つでは、組み立て位置から係止位置を通って（したがって、それを越えて）回転することにより、係止リングを係止リング取り外し位置に至らせることができる。この位置は、液体スプレーガンノズルアセンブリが組み付けられている間は、カム部材との干渉による係止リングの回転の停止のため（即ち、この時には、係止リングが係止状態を越えて回転しないため）、通常は到達することができない。その結果、このような実施形態では、液体スプレーガンノズルアセンブリが組み付けられている間は、係止リングを取り外す可能性がない。
【００７９】
次に図１３〜１７を参照して、液体スプレーガンノズルアセンブリ１００のスプレーガン接続部分１２０が更に説明される。スプレーガン接続部分１２０は、半径方向外側に面する表面１２８を含む外壁１２４を含む。半径方向外側に面する表面１２８は少なくとも第１のカム部材１３２を含む。図示の実施形態では、半径方向外側に面する表面１２８は第２のカム部材１３６を含む。各カム部材（１３２、１３６）はカム面１４８を含む。図示の実施形態では、カム面（単数又は複数）１４８は、スプレーガン接続部分１２０から概ね軸方向に離れる方向に（即ち、液体スプレーガンノズルアセンブリがその上に組み付けられている時には、スプレーガン本体３上のノズルアセンブリ接続部分２００から離れる方向に）面している。それぞれのカム面（単数又は複数）１４８（及び／又は係止リング２１０上のラグカム面（単数又は複数）２３２）の一方又は両方は、カム相互作用を促進する傾斜部分１６０を含む。
【００８０】
図１５及び図１６に示されるように、べース平面１０１’が噴霧軸１０１に対して垂直に規定される。傾斜部分（単数又は複数）１６０は、角度αでべース平面１０１’に対して傾斜した部分を含むことが分かる。傾斜部分（単数又は複数）１６０は、平坦表面（即ち、直線斜面、このため、傾斜面（単数又は複数）１６０全体が角度αで傾斜している）として示されているが、傾斜面（単数又は複数）１６０の一部分のみが角度 αで設けられるよう、傾斜面（単数又は複数）１６０を曲線状又は他の非平坦（即ち、非直線）表面として設けることも可能である。角度αは、液体スプレーガンノズルアセンブリ１００をスプレーガン本体３に向かって確実に引くのに十分なカム作用をもたらす一方で、組み立て位置２１４から係止位置２１８に移動する際に、およそ角度φの係止リング２１０の十分な角回転を可能にするように選定される（例えば、図６及び図６Ａを参照）。いくつかの実施形態では、角度αは、例えば、３、４、５、６、７、８、又は９度を含む、約２度〜約１０度の範囲内である。いくつかの実施形態では、角度φは、例えば、２０、３０、４０、５０、６０、７０、８０、９０、１００、１１、１２０、１３０、１３５、１４０、１５０、又は１６０度を含む、約１５度〜約１８０度の範囲内である。いくつかの実施形態では、角度φは、約４５度〜約１４０度の範囲内である。一実施形態では、角度αは約５度であり、その一方で、角度φは（図６Ａにおいて時計方向に９０度回転されて示されるように）約９０度である。別の実施形態では、角度αは約５度であり、その一方で、角度φは約１３５度である。任意の所与の構成に関して、係止接触は、角度α、カムラグ（単数又は複数）２３０とカム部材（単数又は複数）１３２との間の相互作用、及び協働する部分の公差に応じてわずかに変化する角度φで生じ得ることを理解されたい。
【００８１】
各カム部材（１３２、１３６）は、カム部材の第１の端部１４０及びカム部材の第２の端部１４４を含む。アクセス窓（１５２、１５６）が、カム部材の第２の端部１４４とカム部材の第１の端部１４０との間に周辺に配置されている。図示の実施形態では、第１のカム部材１３２及び第２のカム部材１３６が設けられ、それによって第１のアクセス窓１５２及び第２のアクセス窓１５６を設けている。
【００８２】
ここで図７〜図１２に戻ると、ノズルアセンブリ接続部分は、１つ以上のノズルキー２１２が更に設けられていてもよい。ノズルキー（単数又は複数）は、液体スプレーガンノズルアセンブリ１００上の第１及び／又は第２のアクセス窓（単数又は複数）（１５２、１５６）と位置合わせされ、スプレーガン本体３に対する液体スプレーガンノズルアセンブリ１００の回転を防止する。図示の実施形態では、ノズルキー（単数又は複数）２１２は、カム面の第１の端部１４０とカム面の第２の端部１４４との間にぴったりと嵌合する。このようにして、液体スプレーガンノズルアセンブリ１００は、係止リング２１０が組み立て位置２１４及び係止位置２１８に回転されている間に、回転方向に固定された様態で保持される。第１及び／又は第２のアクセス窓（単数又は複数）（１５２、１５６）と協働するノズルキー（単数又は複数）２１２は、スプレーガンノズルアセンブリ１００が、スプレーガン本体３のノズルアセンブリ接続部分２００上への組み付けのために正確に回転方向に位置付けられることを確実にするのに役立つ位置合わせを更にもたらす。
【００８３】
係止リング２１０は、組み立て位置２１４（図６参照）及び係止位置２１８（図６Ａを参照）に回転可能である。図示の実施形態では、組み立て位置２１４において、１つ以上のカムラグ２３０が、１つ以上のノズルキー２１２に位置が対応するように位置付けられる。次に、第１及び／又は第２のアクセス窓（１５２、１５６）が、１つ以上のカムラグ２３０及びノズルキー２１２に隣接して位置付けられる。次に、スプレーガンノズルアセンブリをノズルアセンブリ接続部分２００に向かって並進させることによって、１つ以上のカムラグ２３０及びノズルキー２１２が第１及び／又は第２のアクセス窓を通過させられる。
【００８４】
次に、（係止リング２１０が組み立て位置２１４にある間に）スプレーガンノズルアセンブリ１００がノズルアセンブリ接続部分２００に対して適切に配置されると、係止リング２１０を係止位置２１８に回転させて、スプレーガンノズルアセンブリ１００をその上にしっかりと保持することができる。係止リング２１０が組み立て位置２１４から係止位置２１８へ回転する間、ラグカム面（単数又は複数）２３２はスプレーガンノズルアセンブリ上のカム面（単数又は複数）１４８と係合し、それによって、傾斜部分（単数又は複数）１６０と相互作用して、スプレーガンノズルアセンブリ１００をスプレーガン本体３に向かって（噴霧軸１０１に沿って）軸方向に引く。その間、１つ以上のノズルキー２１２は、スプレーガンノズルアセンブリをノズルアセンブリ接続部分２００に対して所定の回転位置に保持する。係止リング２１０は、本明細書の他の箇所に記載される様々な封着部材と封着座部との間に十分な動作封着を作り出すために十分な軸方向力が発生されるまで、組み立て位置２１４から手動回転力を用いて（即ち、手で）回転される。これが係止位置である。ユーザがスプレーガンノズルアセンブリを取り外したいと望むまで、係止リングを係止位置２１８に保持するために、十分な摩擦がラグカム面（単数又は複数）２３２とカム面（単数又は複数）１４８との相互作用によって生み出される。
【００８５】
取り外しのために、ユーザは、係止リング２１０を組み立て位置に回転させ、それによって、再び、１つ以上のカムラグ２３０を第１及び／又は第２のアクセス窓（１５２、１５６）と位置合わせする。次に、スプレーガンノズルアセンブリ１００をノズルアセンブリ接続部分２００から引き離すことができ、これにより、１つ以上のカムラグ２３０を、第１及び／又は第２のアクセス窓（１５２、１５６）を通過させて、構成要素を分離する。
【００８６】
本明細書に示され、説明されるような係止リング２１０及び対応する機構を設けることにより、スプレーガン本体３に対するスプレーガンノズルアセンブリ１００の、確実、容易、且つ道具を要しない組み立て及び取り外しを可能にすることができる。図示され、説明される実施形態はまた、係止リング２１０の容易な取り外し、洗浄、及び（必要に応じて）費用効率の高い交換をもたらすことができる。
【００８７】
本明細書における発明は、特定の実施形態を参照して説明されているが、これらの実施形態は、本発明の原理及び適用の単なる例示に過ぎないことを理解されたい。本発明の趣旨及び範囲から逸脱することなく、本発明の方法及び装置に様々な修正及び変更を加えることができることが、当業者には明らかであろう。それゆえ、本発明は、添付の請求項及びそれらの等価物の範囲内にある修正及び変更を含むことが意図されている。
【図１】
2019535510.tif 000004
【図２】
2019535510.tif 000005
【図３】
2019535510.tif 000006
【図４】
2019535510.tif 000007
【図５】
2019535510.tif 000008
【図６】
2019535510.tif 000009
【図６Ａ】
2019535510.tif 000010
【図７】
2019535510.tif 000011
【図８】
2019535510.tif 000012
【図９】
2019535510.tif 000013
【図１０】
2019535510.tif 000014
【図１１】
2019535510.tif 000015
【図１２】
2019535510.tif 000016
【図１３】
2019535510.tif 000017
【図１４】
2019535510.tif 000018
【図１５】
2019535510.tif 000019
【図１６】
2019535510.tif 000020
【図１７】
2019535510.tif 000021
【図１８】
2019535510.tif 000022
【図１９】
2019535510.tif 000023
【図２０】
2019535510.tif 000024
【図２１】
2019535510.tif 000025
【図２２】
2019535510.tif 000026
【国際調査報告】
2019535510.tif 000027
2019535510.tif 000028
2019535510.tif 000029